(57)【要約】【課題】印刷物を使用する場合において機密情報の秘匿性を高める技術を提供する。【解決手段】印刷物のセキュリティを向上させるための携帯端末は、印刷物の画像が部分的に秘匿されて表示されている部分秘匿印刷物を撮像して部分秘匿画像データを生成する画像データ生成部と、部分秘匿画像データに基づいて部分秘匿印刷物に対応する電子文書ファイルを取得する電子文書ファイル取得部と、電子文書ファイルを使用し、部分秘匿画像データによって表される画像において秘匿された部分であって補填対象となる補填画像を生成する補填画像生成部と、部分秘匿画像データにおいて補填画像が配置されるべき位置である補填位置を決定する補填位置決定部と、補填位置に補填画像を表示させて印刷物に表示されている印刷物画像を再現する印刷物画像再現部とを備える。【選択図】図１
2018054957.tif 000002
【特許請求の範囲】
【請求項１】
印刷物のセキュリティを向上させるための携帯端末であって、
前記印刷物の画像が部分的に秘匿されて表示されている部分秘匿印刷物を撮像して部分秘匿画像データを生成する画像データ生成部と、
前記部分秘匿画像データに基づいて前記部分秘匿印刷物に対応する電子文書ファイルを取得する電子文書ファイル取得部と、
前記電子文書ファイルを使用し、前記部分秘匿画像データによって表される画像において前記秘匿された部分であって補填対象となる補填画像を生成する補填画像生成部と、
前記部分秘匿画像データにおいて前記補填画像が配置されるべき位置である補填位置を決定する補填位置決定部と、
前記補填位置に前記補填画像を表示させて前記印刷物に表示されている印刷物画像を再現する印刷物画像再現部と、
を備える携帯端末。
【請求項２】
請求項１記載の携帯端末であって、
前記印刷物画像再現部は、所定の視野角を有する視野に重ねて前記補填画像を表示する透過式表示領域を有し、前記部分秘匿画像データに基づいて、前記視野における前記部分秘匿印刷物の配置と前記透過式表示領域における前記部分秘匿印刷物の配置とを合わせる透過式眼鏡型端末である携帯端末。
【請求項３】
請求項１又は２に記載の携帯端末であって、
前記電子文書ファイルは、前記印刷物を使用して生成され、前記部分秘匿画像データに対応する画像の少なくとも一部が削除されている携帯端末。
【請求項４】
請求項１乃至３のいずれか１項に記載の携帯端末であって、
前記部分秘匿印刷物は、前記印刷物に表示されている印刷物画像の一部を識別不能とすることによって形成された識別不能領域を有し、
前記画像データ生成部は、前記部分秘匿印刷物を撮像して前記部分秘匿画像データを生成し、前記印刷物を撮像して印刷物画像データを生成し、
前記補填画像生成部は、前記部分秘匿画像データと前記印刷物画像データとを比較することによって、前記補填画像を表す補填画像データと前記補填位置を表す補填位置データとを含む前記電子文書ファイルを生成する携帯端末。
【請求項５】
請求項１乃至４のいずれか１項に記載の携帯端末であって、
前記電子文書ファイルは、前記補填画像毎に指定されているセキュリティレベルを表す情報を含み、
前記印刷物画像再現部は、セキュリティレベルの指定に応じて前記補填画像毎に表示と非表示とを決定し、前記表示と決定された補填画像を表示する携帯端末。
【請求項６】
請求項１乃至５のいずれか１項に記載の携帯端末であって、
前記部分秘匿印刷物は、前記印刷物に対して物理的な措置を施すことによって、前記印刷物に表示されている印刷物画像の一部を識別不能とすることによって生成された原紙に表示されている原紙画像を読み取って複写することによって生成され、前記複写であることを示す複写表示を有し、
前記印刷物画像再現部は、前記複写表示の非検知に応じて前記原紙であることを知らせるための画像を表示する携帯端末。
【請求項７】
印刷物のセキュリティを向上させるための表示システムであって、
請求項６に記載の携帯端末と、
前記原紙に表示されている原紙画像を読み取って複写し、前記複写表示を含む部分秘匿印刷物を生成する画像形成装置と、
を備える表示システム。
【請求項８】
印刷物のセキュリティを向上させるための表示方法であって、
前記印刷物の画像が部分的に秘匿されて表示されている部分秘匿印刷物を撮像して部分秘匿画像データを生成する画像データ生成工程と、
前記部分秘匿画像データに基づいて前記部分秘匿印刷物に対応する電子文書ファイルを取得する電子文書ファイル取得工程と、
前記電子文書ファイルを使用し、前記部分秘匿画像データによって表される画像において前記秘匿された部分であって補填対象となる補填画像を生成する補填画像生成工程と、
前記部分秘匿画像データにおいて前記補填画像が配置されるべき位置である補填位置を決定する補填位置決定工程と、
前記補填位置に前記補填画像を表示させて前記印刷物に表示されている印刷物画像を再現する印刷物画像再現工程と、
を備える表示方法。
【発明の詳細な説明】
【技術分野】
【０００１】
本発明は、機密情報の秘匿性を高める携帯端末、表示システム及び表示方法に関する。
【背景技術】
【０００２】
近年、第三者への機密情報の漏洩を抑制する表示方法が提案されている。具体的には、たとえば特許文献１は、ディスプレイにおいて秘匿すべき情報を表示するプライベート・データのフレームをマスキング・データのフレームの間に散在させ、アクティブ・グラス対（シャッタ付き眼鏡）を通してのみプライベート・データのフレームを見ることができるように構成された方法を開示している。この方法では、同期化されたアクティブ・グラス対（シャッタ付き眼鏡）のシャッタの開閉によってプライベート・データのフレームが見え、第三者には、マスキング・データのフレームが見えることになる。これにより、第三者への機密情報の漏洩を抑制することができる。
【先行技術文献】
【特許文献】
【０００３】
【特許文献１】特開２００１−２５５８４４号公報
【発明の概要】
【発明が解決しようとする課題】
【０００４】
しかし、印刷物を使用する場合において機密情報の秘匿性を高める技術については十分に検討されていなかった。
【０００５】
本発明は、このような状況に鑑みてなされたものであり、印刷物を使用する場合において機密情報の秘匿性を高める技術を提供することを目的とする。
【課題を解決するための手段】
【０００６】
本発明は、印刷物のセキュリティを向上させるための携帯端末を提供する。前記携帯端末は、前記印刷物の画像が部分的に秘匿されて表示されている部分秘匿印刷物を撮像して部分秘匿画像データを生成する画像データ生成部と、前記部分秘匿画像データに基づいて前記部分秘匿印刷物に対応する電子文書ファイルを取得する電子文書ファイル取得部と、前記電子文書ファイルを使用し、前記部分秘匿画像データによって表される画像において前記秘匿された部分であって補填対象となる補填画像を生成する補填画像生成部と、前記部分秘匿画像データにおいて前記補填画像が配置されるべき位置である補填位置を決定する補填位置決定部と、前記補填位置に前記補填画像を表示させて前記印刷物に表示されている印刷物画像を再現する印刷物画像再現部とを備える。
【０００７】
本発明は、印刷物のセキュリティを向上させるための表示システムを提供する。前記表示システムは、前記携帯端末と、前記原紙に表示されている原紙画像を読み取って複写し、前記複写表示を含む部分秘匿印刷物を生成する画像形成装置とを備える。
【０００８】
本発明は、印刷物のセキュリティを向上させるための表示方法を提供する。前記表示方法は、前記印刷物の画像が部分的に秘匿されて表示されている部分秘匿印刷物を撮像して部分秘匿画像データを生成する画像データ生成工程と、前記部分秘匿画像データに基づいて前記部分秘匿印刷物に対応する電子文書ファイルを取得する電子文書ファイル取得工程と、前記電子文書ファイルを使用し、前記部分秘匿画像データによって表される画像において前記秘匿された部分であって補填対象となる補填画像を生成する補填画像生成工程と、前記部分秘匿画像データにおいて前記補填画像が配置されるべき位置である補填位置を決定する補填位置決定工程と、前記補填位置に前記補填画像を表示させて前記印刷物に表示されている印刷物画像を再現する印刷物画像再現工程とを備える。
【発明の効果】
【０００９】
本発明によれば、印刷物を使用する場合において機密情報の秘匿性を高める技術を提供することができる。
【図面の簡単な説明】
【００１０】
【図１】本発明の一実施形態に係るセキュリティ印刷システム１０の機能構成を示すブロックダイアグラムである。
【図２】一実施形態に係る部分秘匿印刷物生成処理の内容を示すフローチャートである。
【図３】一実施形態に係るセキュリティ印刷システム１０において部分秘匿印刷物と差分データとが生成される様子を示す概念図である。
【図４】一実施形態に係る印刷画像再現処理の内容を示すフローチャートである。
【図５】一実施形態に係る表示例と変形例に係る差分電子ファイルを示す説明図である。
【発明を実施するための形態】
【００１１】
以下、本発明を実施するための形態（以下、「実施形態」という）を、図面を参照して説明する。
【００１２】
図１は、本発明の一実施形態に係るセキュリティ印刷システム１０の機能構成を示すブロックダイアグラムである。セキュリティ印刷システム１０は、画像形成装置１００と、眼鏡型端末２００と、パーソナルコンピュータ３００とを備えている。画像形成装置１００は、制御部１１０と、画像形成部１２０と、操作表示部１３０と、記憶部１４０と、通信インターフェース部１５０と、自動原稿送り装置（ＡＤＦ）１６０とを備えている。眼鏡型端末２００は、透過式眼鏡型端末であり、制御部２１０と、操作表示部２３０と、記憶部２４０と、通信インターフェース部２５０と、撮像部２６０とを備えている。パーソナルコンピュータ３００には、ノート型ＰＣも含まれる。なお、セキュリティ印刷システム１０は、セキュリティ表示システムとも呼ばれる。
【００１３】
眼鏡型端末２００は、ウェアラブルデバイスとも呼ばれ、通信インターフェース部２５０を使用してパーソナルコンピュータ３００と近距離無線通信で接続される。近距離無線通信は、本実施形態では、ＢＬＵＥＴＯＯＴＨ（登録商標）のＣＬＡＳＳ２を使用している。ＢＬＵＥＴＯＯＴＨ（登録商標）のＣＬＡＳＳ２は、出力２．５ｍＷの通信であり、パーソナルコンピュータ３００と眼鏡型端末２００との距離が１０ｍ以内程度での通信が可能な近距離無線通信である。
【００１４】
画像形成部１２０は、原稿から画像を読み取って画像データを生成する画像読取部１２１と、印刷設定に従って画像データを処理する画像処理部１２２と、処理された画像データに基づいて印刷媒体上に印刷を行う画像出力部１２３とを備えている。
【００１５】
画像形成装置１００の操作表示部１３０は、ディスプレイ１３１と、操作処理部１３２とを備えている。眼鏡型端末２００の操作表示部２３０は、ディスプレイ２３１と、操作処理部２３２とを備えている。ディスプレイ１３１は、タッチパネルとして機能し、様々なメニューを入力画面として表示する。ディスプレイ２３１は、ユーザーの視野に重ねて所定の視野角で画像を表示する透過式表示領域を有する。操作処理部１３２は、タッチパネルとして機能するディスプレイ１３１や各種ボタンやスイッチ（図示せず）からユーザーの操作入力を受け付ける。操作処理部２３２は、眼鏡型端末２００の本体に対してＢＬＵＥＴＯＯＴＨ（登録商標）での接続されるマウスやキーボードといった入力装置である。
【００１６】
制御部１１０，２１０は、ＲＡＭやＲＯＭ等の主記憶手段、及びＭＰＵ（Ｍｉｃｒｏ  Ｐｒｏｃｅｓｓｉｎｇ  Ｕｎｉｔ）やＣＰＵ（Ｃｅｎｔｒａｌ  Ｐｒｏｃｅｓｓｉｎｇ  Ｕｎｉｔ）等の制御手段を備えている。また、制御部１１０は、各種Ｉ／Ｏ、ＵＳＢ（ユニバーサル・シリアル・バス）、バス、その他ハードウェア等のインターフェースに関連するコントローラ機能を備え、それぞれ画像形成装置１００及び眼鏡型端末２００の全体を制御する。
【００１７】
記憶部１４０，２４０は、非一時的な記録媒体であるハードディスクドライブやフラッシュメモリー等からなる記憶装置で、それぞれ制御部１１０，２１０が実行する処理の制御プログラムやデータを記憶する。
【００１８】
図２は、一実施形態に係る部分秘匿印刷物生成処理の内容を示すフローチャートである。図３は、一実施形態に係るセキュリティ印刷システム１０において部分秘匿印刷物Ｐ１と差分電子ファイルＤ１とが生成される様子を示す概念図である。部分秘匿印刷物Ｐ１と差分電子ファイルＤ１は、秘匿すべき機密情報を含む印刷物ＯＰから以下のようにして生成される。
【００１９】
ステップＳ１１０では、ユーザーは、スキャンデータ生成処理を実行する。スキャンデータ生成処理は、画像形成装置１００の画像読取部１２１を使用して印刷物ＯＰに表示されている画像を読み取ってスキャンデータ（印刷物画像データとも呼ばれる。）を生成する処理である。この例では、印刷物ＯＰは、パーソナルコンピュータの共同開発に関する会議資料の一部であるものとする。なお、スキャンデータ生成処理は、画像読取部１２１の代わりに、眼鏡型端末２００の撮像部２６０を使用して行うこともできる。このように、画像読取部１２１や撮像部２６０は、画像データ生成部として機能することができる。
【００２０】
この会議資料は、たとえばパーソナルコンピュータの全体開発を計画しているＡ社が、パーソナルコンピュータの部品メーカーであるＢ社に部品の開発を打診するための会議に使用されるものとする。会議では、Ａ社によって部分秘匿印刷物Ｐ１が会議資料の一部として配布され、相手側であるＢ社に渡される予定である。
【００２１】
ステップＳ１２０では、ユーザーは、秘匿部指定処理を実行する。秘匿部指定処理は、秘匿すべき情報が表示されている領域である秘匿領域を白色のマーカーで塗りつぶした後に黒色の矩形枠を記載し、塗りつぶされた各秘匿領域にタギングを行う処理である。このように、印刷物ＯＰに対して物理的な措置を施すことによって、印刷物ＯＰに表示されている印刷物画像の一部を部分的に識別不能とすることによって部分秘匿印刷物（原紙）が生成される。部分秘匿印刷物（原紙）の生成は、化学変化を伴う化学的な措置（文言上は物理的な措置に含まれる。）を使用して生成してもよい。
【００２２】
タギングは、各秘匿領域に短い単語やフレーズ、記号（数字や文字）といったタグを付けて秘匿領域を管理する方法である。タグは、予め設定されている順序で連番としても良いし、秘匿すべき情報の近傍の単語や記号から自動的に生成しても良い。
【００２３】
この例では、図３に示されるように、部分秘匿印刷物Ｐ１において３つの秘匿領域Ｆ１〜Ｆ３が指定され、それぞれタグ１〜３が付けられている。秘匿領域Ｆ１は、「６４ｂｉｔ  ９ＧＨｚ」という秘匿すべき情報が表示されている矩形の領域である。秘匿領域Ｆ２は、「ＤＤＲｘ  １００ＧＢ」という秘匿すべき情報が表示されている矩形の領域である。秘匿領域Ｆ３は、「ＨＤＤ  １ＴＢ」という秘匿すべき情報が表示されている矩形の領域である。
【００２４】
ステップＳ１３０では、画像形成装置１００の画像読取部１２１は、部分秘匿画像データ生成処理を実行する。部分秘匿画像データ生成処理は、印刷物ＯＰに対して白色のマーカーでの塗りつぶしや矩形枠が施された印刷物（原紙）の画像（原紙画像とも呼ばれる。）を読み取ってスキャンデータ（原紙画像データとも呼ばれる。）を生成する処理である。このスキャンデータには、部分秘匿印刷物（原紙）のスキャンデータであることを示す複写表示が付される。このスキャンデータを使用する印刷は、部分秘匿印刷物Ｐ１の複写に相当する。
【００２５】
複写表示は、実質的には部分秘匿印刷物（原紙）でないことを示す役割を有している。部分秘匿印刷物（原紙）は、印刷物ＯＰに対して物理的な措置を施すことによって、印刷物ＯＰに表示されている印刷物画像の一部を識別不能とすることによって生成されているので、物理的な措置によって識別不能とされた領域（識別不能領域とも呼ばれる。）を識別可能にできる場合もあるからである。したがって、部分秘匿印刷物（原紙）には、セキュリティ上の特別な管理が要請されることになる。複写表示は、電子透かしやウォーターマークといった方法で表示することができる。
【００２６】
なお、ステップＳ１３０における部分秘匿画像データ生成処理も、ステップＳ１１０のスキャンデータ生成処理と同様に、画像読取部１２１の代わりに、眼鏡型端末２００の撮像部２６０を使用して行うこともできる。
【００２７】
ステップＳ１４０では、画像形成装置１００の制御部１１０は、差分データ生成処理を実行する。差分データ生成処理は、３つの秘匿領域Ｆ１〜Ｆ３において秘匿された情報を使用して生成される差分データを生成する処理である。差分データは、秘匿すべき機密情報を含む印刷物ＯＰのスキャンデータと、部分秘匿印刷物Ｐ１のスキャンデータとを比較し、その差分を検知することによって生成されるデータである。
【００２８】
ステップＳ１５０では、画像形成装置１００の制御部１１０は、電子ファイル生成処理を実行する。電子ファイル生成処理は、差分データを格納する電子データファイルである差分電子ファイルＤ１を生成する処理である。
【００２９】
差分電子ファイルＤ１は、たとえば印刷物ＯＰの名称とページ番号のハッシュ値Ｈ１（この例では、８７ｊｈｆｓ８９３２８ｈ３）をファイル名として使用することができる。ハッシュ値は、元になるデータから一定の計算手順により求められた規則性のない固定長の値であり、ハッシュ値から元のデータを復元することはできないという特性を有する。本実施例では、印刷物ＯＰの名称がヘッダに記載され、ページ番号がフッタに記載されているものとする。
【００３０】
したがって、仮に第三者が差分電子ファイルＤ１を不正に取得しても差分電子ファイルＤ１に対応する部分秘匿印刷物Ｐ１を特定することはできない。一方、差分データは、部分秘匿印刷物Ｐ１なしでは、何ら意味を有しない情報である。差分データでは、部分秘匿印刷物Ｐ１の画像に対応する画像が削除されているからである。なお、部分秘匿印刷物Ｐ１に対応する画像の削除は、その全てではなく、少なくとも１部削除すれば、差分データは、単独では何ら意味を有しない情報とできる場合もある。
【００３１】
このように、本発明は、差分電子ファイルＤ１のファイル名にハッシュ値Ｈ１を使用して、部分秘匿印刷物Ｐ１と差分電子ファイルＤ１との関係をファイル名から特定することができないようにしている。これにより、本発明は、仮に電子データである差分電子ファイルＤ１が流出しても機密が保持されるという点でセキュリティ上の優位性を有している。
【００３２】
差分電子ファイルＤ１は、３つの秘匿領域Ｆ１〜Ｆ３に付されているタグ（数字の１〜３）を使用して、秘密対象情報である「６４ｂｉｔ  ９ＧＨｚ」、「ＤＤＲｘ  １００ＧＢ」及び「ＨＤＤ  １ＴＢ」の補填画像を表す補填画像データと紐付けている。差分電子ファイルＤ１は、さらに、タグ（数字の１〜３）を使用して部分秘匿印刷物Ｐ１における秘密対象情報を表示すべき各位置を表す情報である補填位置データと紐付けている。これにより、差分電子ファイルＤ１は、「６４ｂｉｔ  ９ＧＨｚ」が秘匿領域Ｆ１の矩形の内部に表示され、「ＤＤＲｘ  １００ＧＢ」が秘匿領域Ｆ２の矩形の内部に表示され、「ＨＤＤ  １ＴＢ」が秘匿領域Ｆ３の矩形の内部に表示されるように構成されたデータを格納していることになる。
【００３３】
Ａ社は、Ｂ社との会議のために、たとえば部分秘匿印刷物Ｐ１を印刷物として、差分電子ファイルＤ１を電子データとしてノート型のパーソナルコンピュータ３００の記憶領域に格納してＢ社の会議室に持ち込むことができる。Ａ社は、さらに複数の眼鏡型端末２００を持参し、Ｂ社側の会議出席者に貸し渡す。複数の眼鏡型端末２００は、会議室において、前述のようにパーソナルコンピュータ３００とＢＬＵＥＴＯＯＴＨ（登録商標）のＣＬＡＳＳ２で接続される。一方、印刷物ＯＰは、Ａ社の社内で厳重に管理することができる。
【００３４】
図４は、一実施形態に係る印刷画像再現処理の内容を示すフローチャートである。印刷画像再現処理は、眼鏡型端末２００を使用して部分秘匿印刷物Ｐ１と差分電子ファイルＤ１とを使用して印刷物ＯＰに表示されている画像を再現する処理である。
【００３５】
ステップＳ２１０では、ユーザーは、眼鏡型端末２００を通して部分秘匿印刷物Ｐ１を見る。ステップＳ２２０では、眼鏡型端末２００の撮像部２６０は、撮像処理を実行する。撮像処理では、部分秘匿印刷物Ｐ１の画像が取得され、部分秘匿画像データが生成される。部分秘匿画像データは、ノート型のパーソナルコンピュータ３００に送信される（図１参照）。
【００３６】
一方、眼鏡型端末２００は、部分秘匿印刷物Ｐ１に表示されている画像中において複写表示を探索する。眼鏡型端末２００は、複写表示が検知できなかったとき、すなわち複写表示の非検知に応じて、部分秘匿印刷物（原紙）なので廃棄その他の措置を取るように注意を喚起する表示をディスプレイ２３１に表示する。通例では、会議前の準備段階で廃棄されることになる。眼鏡型端末２００は、複写表示の検知に応じて処理をステップＳ２３０に進める。
【００３７】
ステップＳ２３０では、ノート型のパーソナルコンピュータ３００は、ファイル名決定処理を実行する。ファイル名決定処理は、部分秘匿画像データによって表される画像中の部分秘匿印刷物Ｐ１のヘッダに記載されている印刷物ＯＰの名称と、フッタに記載されているページ番号とを文字認識してテキストデータを生成し、テキストデータからハッシュ値Ｈ１を算出することによってファイル名を決定する処理である。
【００３８】
ステップＳ２４０では、眼鏡型端末２００は、電子ファイル取得処理を実行する。眼鏡型端末２００は、ハッシュ値Ｈ１として算出されたファイル名を使用し、パーソナルコンピュータ３００に対して差分電子ファイルＤ１（電子文書ファイルとも呼ばれる。）を要求する。パーソナルコンピュータ３００は、眼鏡型端末２００に差分電子ファイルＤ１を送信する。このように、制御部２１０は、電子文書ファイル取得部として機能している。
【００３９】
ステップＳ２５０では、眼鏡型端末２００の制御部２１０は、補填画像生成処理を実行する。補填画像生成処理は、補填画像データを使用し、眼鏡型端末２００を通して見える部分秘匿印刷物Ｐ１と重畳して表示すべき各補填画像を生成する処理である。各補填画像は、秘匿された部分であって補填対象となる画像であり、この例では、３つの秘匿領域Ｆ１〜Ｆ３において表示されるべき、「６４ｂｉｔ  ９ＧＨｚ」、「ＤＤＲｘ  １００ＧＢ」及び「ＨＤＤ  １ＴＢ」を表す表示である。このように、制御部２１０は、補填画像生成部として機能することができる。
【００４０】
ステップＳ２６０では、眼鏡型端末２００の制御部２１０は、補填位置算出処理を実行する。補填位置算出処理は、「６４ｂｉｔ  ９ＧＨｚ」、「ＤＤＲｘ  １００ＧＢ」及び「ＨＤＤ  １ＴＢ」を表す各補填画像のディスプレイ２３１における位置を算出する処理である。この処理は、「６４ｂｉｔ  ９ＧＨｚ」、「ＤＤＲｘ  １００ＧＢ」及び「ＨＤＤ  １ＴＢ」を表す各補填画像に紐づけられている補填位置データを使用して行われる。
【００４１】
補填位置算出処理は、さらに、秘匿領域Ｆ１〜Ｆ３の見かけの大きさと形状に基づいて「６４ｂｉｔ  ９ＧＨｚ」、「ＤＤＲｘ  １００ＧＢ」及び「ＨＤＤ  １ＴＢ」を表す各補填画像のサイズを調整するとともに、各補填画像を変形させる。サイズの調整や変形は、撮像部２６０を基準とする部分秘匿印刷物Ｐ１の空間的な位置の算出結果に基づいて行われる。この空間的な位置は、撮像部２６０が生成した画像データを使用し、たとえば部分秘匿印刷物Ｐ１が有する輪郭形状の台形への変形の程度や大きさの変化に基づいて算出される。この算出は、周知の座標変換等を使用して行われる。このように、制御部２１０は、補填位置決定部として機能することができる。
【００４２】
ステップＳ２７０では、眼鏡型端末２００の制御部２１０は、補填画像表示処理を実行する。補填画像表示処理は、ユーザーの視野に重ねて所定の視野角で画像を表示する透過式表示領域を有するディスプレイ２３１を使用して行われる。ディスプレイ２３１は、透過式表示領域において、前述のように補填位置データ等に基づいて部分秘匿印刷物Ｐ１に重畳させて補填画像を表示する。このように、眼鏡型端末２００は、印刷物画像再現部として機能することができる。
【００４３】
図５は、一実施形態に係る表示例と変形例に係る差分データを示す説明図である。図５（ａ）に示されるように、補填画像の表示位置は、再現された印刷物画像Ｐ１ａにおいて撮像部２６０によって取得された秘匿領域Ｆ１〜Ｆ３の各位置と、「６４ｂｉｔ  ９ＧＨｚ」、「ＤＤＲｘ  １００ＧＢ」及び「ＨＤＤ  １ＴＢ」を表す各補填画像の位置とが一致するように表示位置が実時間で調整される。さらに、人間の目が部分秘匿印刷物Ｐ１にピントを合わせたときに、補填画像へのピントが合うように光学系が設定されている点で、たとえばコリメートレンズを使用する自動車向けＨＵＤ等と相違する。
【００４４】
具体的には、眼鏡型端末２００の視野が部分秘匿印刷物Ｐ１に対して上側に移動すると、撮像部２６０によって検知される３つの秘匿領域Ｆ１〜Ｆ３の位置が相対的に下側に移動する。よって、制御部２１０は、３つの秘匿領域Ｆ１〜Ｆ３の下側への移動変化に応じて、各補填画像の位置を下側に移動させて、部分秘匿印刷物Ｐ１上の３つの秘匿領域Ｆ１〜Ｆ３の各位置と各補填画像の位置の相対的な位置関係が変化しないように制御する。このように、制御部２１０は、眼鏡型端末２００の視野における印刷物の配置とディスプレイ２３１が有する透過式表示領域における印刷物の配置とを合わせるように構成されている。
【００４５】
なお、ジャイロセンサ等を使用して眼鏡型端末２００の角速度を計測し、これにより、人間の頭の周期的な動きを予測して表示位置の制御を円滑化してもよい。
【００４６】
ステップＳ２７０では、眼鏡型端末２００の制御部２１０は、撮像部２６０によって撮像される部分秘匿印刷物Ｐ１の状態変化に応じて補填画像の表示を更新する。眼鏡型端末２００の制御部２１０は、たとえば会議資料のページをめくることによって部分秘匿印刷物Ｐ１から他の部分秘匿印刷物への変更に応じて補填画像の表示を更新する。
【００４７】
このように、一実施形態に係る眼鏡型端末２００によれば、ディスプレイの表示ではなく印刷物に対してセキュリティの向上を行うことができるという従来技術にない効果を奏することができる。さらに、部分秘匿印刷物Ｐ１及び差分電子ファイルＤ１は、組み合わせられることによって意味をなす情報なので、一方のみが流出しても情報の秘匿性が保たれるという格別の効果を奏することができる。
【００４８】
Ｃ．変形例：
本発明は、上記各実施形態だけでなく、以下のような変形例でも実施することができる。
【００４９】
変形例１：上記実施形態では、セキュリティレベルの設定が想定されていないが、セキュリティレベルを設定するようにしてもよい。具体的には、たとえば図５（ｂ）に示される差分データＤ２のように、セキュリティコードＳＣを格納し、たとえばセキュリティレベルが相違する眼鏡型端末２００毎に表示と非表示とが変動するように構成してもよい。
【００５０】
具体的には、たとえばセキュリティレベルが「０」に設定されている眼鏡型端末２００には、セキュリティレベルが「０」の「６４ｂｉｔ  ９ＧＨｚ」の補填画像のみが表示され（あるいは当該補填画像のみのデータが取得され）、たとえばセキュリティレベルが「１」に設定されている眼鏡型端末２００には、セキュリティレベルが「０」及び「１」の３つの補填画像が表示されることになる。
【００５１】
変形例２：上記実施形態では、差分電子ファイルは、秘匿すべき機密情報を含む印刷物ＯＰのスキャンデータと、部分秘匿印刷物Ｐ１のスキャンデータとの間の差分を検知することによって生成されているが、他の方法で生成してもよい。差分電子ファイルは、印刷物ＯＰのスキャンデータに対して、ＣＡＤ等で一般的に使用されているユーザーインターフェースを使用して機密情報の消去や矩形枠をユーザーが形成する際に、自動的に生成されるように本発明を構成してもよい。ただし、上述の実施形態に係る方法は、秘匿したい情報部分を手で塗りつぶしてスキャンするだけで、簡単な構成で秘匿箇所を容易に追加できるという利点を有する。
【００５２】
変形例３：上記実施形態では、部分秘匿印刷物Ｐ１のヘッダに記載されている印刷物ＯＰの名称と、フッタに記載されているページ番号とを文字認識してテキストデータを生成し、テキストデータからハッシュ値Ｈ１を算出することによって差分電子ファイルのファイル名を決定している。しかしながら、このような方法に限定されるものではなく、たとえば印刷物の特徴（文字の位置や文字数、特定位置に存在する文字や画像情報、ＱＲコード（登録商標）等)とファイル名とを紐付けるデータを利用して差分電子ファイルを特定するように構成してもよい。この場合には、図５（ｃ）に示される差分データＤ３のように、部分秘匿印刷物（原紙）と部分秘匿印刷物（スキャナーデータ）に相違するファイル名を付して識別し、差分電子ファイル名として複数のハッシュ値Ｈ１，Ｈ２を利用するようにしてもよい。
【００５３】
変形例４：上記実施形態では、眼鏡型端末が使用されているが、本発明は、無線通信が可能であればタブレットやスマートフォンといった携帯端末に適用可能である。具体的には、タブレットやスマートフォンのカメラで印刷物を写し、タブレットやスマートフォンのディスプレイに印刷物の画像を再現し、補填画像を重畳して表示するようにしてもよい。なお、携帯端末の語には、眼鏡型端末も含まれる。
【符号の説明】
【００５４】
１０  セキュリティ印刷システム
１００  画像形成装置
１１０，２１０  制御部
１２０  画像形成部
１２１  画像読取部
１２２  画像処理部
１２３  画像出力部
１３０，２３０  操作表示部
１３１，２３１  ディスプレイ
１３２，２３２  操作処理部
１４０，２４０  記憶部
１５０，２５０  通信インターフェース部
１６０  自動紙送り装置（ＡＤＦ）
２００  眼鏡型端末
２６０  撮像部
３００  パーソナルコンピュータ
【図１】
2018054957.tif 000003
【図２】
2018054957.tif 000004
【図３】
2018054957.tif 000005
【図４】
2018054957.tif 000006
【図５】
2018054957.tif 000007